(57)【要約】【課題】球状黒鉛鋳鉄製の部材同士の溶接接合、および、球状黒鉛鋳鉄製の部材の補修溶接に適用でき、溶接部が母材と同等の機械的特性を有し、溶接作業性および外観にも優れた溶接棒を提供することを目的とする。【解決手段】球状黒鉛鋳鉄からなる心線と、心線の外周に形成した接種剤と、接種剤の外周に形成した被覆剤とを備えた。【選択図】なし【特許請求の範囲】
【請求項１】
球状黒鉛鋳鉄からなる心線と、前記心線の外周に形成した接種剤と、前記接種剤の外周に形成した被覆剤とを備えた溶接棒。
【請求項２】
前記接種剤がフェロシリコン系のものである請求項１に記載の溶接棒。
【請求項３】
前記心線の外周に水ガラスを有する固着剤を塗布し、前記固着剤の外周に前記接種剤を形成した請求項１または２に記載の溶接棒。
【請求項４】
前記接種剤が粉末状である請求項１から３の何れか一項に記載の溶接棒。
【請求項５】
前記被覆剤の成分は、Ｃ：９〜２８％、ＣａＦ2：８〜１６％、ＣａＯ：５〜３０％、ＣａＣＯ3：１９〜３７％、Ｆｅ−Ｓｉ：２〜２０％、Ｆｅ−Ｍｎ：２〜２０％、Ｃｕ：１〜１０％、Ｎａ2Ｏ・ｎＳｉＯ2（ｎはモル比）：９〜２４％および不可避成分とした請求項１から４の何れか一項に記載の溶接棒。
【発明の詳細な説明】
【技術分野】
【０００１】
本発明は、球状黒鉛鋳鉄製の部材同士の溶接接合、および、球状黒鉛鋳鉄製の部材の補修溶接に適した溶接棒に関するものである。
【背景技術】
【０００２】
球状黒鉛鋳鉄は、高強度・高靱性を有しており、形状の自由度が高いため、形状の最適化を図ることができる。そのため、従来、複数の部品を溶接、ボルト結合等によって構成していた部材を一体成形することにより軽量化を図ることができる。
また、球状黒鉛鋳鉄は鋼材と比較して安価な材料であることから、鋼材に替わる材料として各種産業機械部品への適用が拡大している。
しかしながら、球状黒鉛鋳鉄は、鋼材と比較して著しく溶接性が悪く、強度が必要となる部分への溶接は実用化の域に達していない。
さらに、球状黒鉛鋳鉄製の部材の割れ等の破損に対する補修が困難であることが、球状黒鉛鋳鉄を利用する際の懸案事項となっている。
【０００３】
従来、球状黒鉛鋳鉄の補修用溶接棒として、ニッケルまたはニッケル合金を心線としたものや、母材と同じか若しくはほぼ同等の成分である球状黒鉛鋳鉄を心線とした溶接棒が用いられている。しかし、溶接部でのチル化組織の生成による強度不足や、アークが安定しないこと、さらには溶接欠陥が発生する等の多くの課題があった。
従来の球状黒鉛鋳鉄製の部材の溶接棒の対象は、主にＦＣＤ−４５０程度の母材を対象としたものである。しかし、ＦＣＤ−５００以上の母材と同等の強度が得られる溶接棒および溶接技術が求められていた。
【０００４】
上述の問題を解決するために従来から種々の提案がなされている。その１つにチル化組織の生成を防止するために心線に接種剤を被覆した溶接棒が知られている（例えば、特許文献１）。また、主にニッケルおよび鉄からなる心線に、微粒黒鉛を含有する被覆剤を塗布した鋳鉄用被覆アーク溶接棒を使用することで強度の向上を図った先行技術（例えば、特許文献２）や、接種剤を用いることで溶接金属でのチル組織の生成を防止する先行技術（例えば、特許文献３）が知られている。
【先行技術文献】
【特許文献】
【０００５】
【特許文献１】特開昭５５−５７３９６号公報
【特許文献２】特開平３−１４６２９８号公報
【特許文献３】特開平１１−１０４８８４号公報
【発明の概要】
【発明が解決しようとする課題】
【０００６】
上記特許文献１の溶接棒においては、溶接に際して溶接姿勢に制約がある上、溶接部の機械的強度の信頼性が低いという課題があった。
特許文献２の技術においても、溶接姿勢が制約されるなど溶接作業性に課題が残る。また、心線にニッケルが多く含まれているため、溶接金属の色調が母材の球状黒鉛鋳鉄の色調と異なってしまうという外観上の問題があった。
特許文献３の技術は、球状黒鉛鋳鉄の母材と軟鋼の母材との溶接に関する。鋳鉄の黒鉛化を促進させる金属または合金からなる溶接用インサート材料と接種剤とを共に母材に埋めることで接種効果を得ようとするものである。しかし、球状黒鉛鋳鉄側の溶接強度についての信頼性は十分とは言えない。また母材への接種剤の埋め込みが必要であるため、溶接作業性が劣っており、球状黒鉛鋳鉄用の溶接棒としては課題が残るものであった。
【０００７】
本発明の目的は、球状黒鉛鋳鉄製の部材同士の溶接接合、および、球状黒鉛鋳鉄製の部材の補修溶接に適用でき、溶接部が母材と同等の機械的特性を有し、溶接作業性および外観にも優れた溶接棒を提供することにある。
【課題を解決するための手段】
【０００８】
（特徴構成１）
本発明の溶接棒に係る特徴構成は、球状黒鉛鋳鉄からなる心線と、前記心線の外周に形成した接種剤と、前記接種剤の外周に形成した被覆剤とを備えた点にある。
【０００９】
（作用効果）
本発明に係る、球状黒鉛鋳鉄からなる心線の外周に接種剤を被覆すると共に接種剤の外周に被覆剤を被覆した溶接棒を用いることで、球状黒鉛鋳鉄製の部材同士を溶接接合する場合、または、球状黒鉛鋳鉄製の部材を補修溶接する場合に、接種剤の役割と被覆剤の役割とを分離することができる。即ち、心線が溶滴になる際に、心線に隣接して設けた接種剤が効率的に溶滴と反応して溶融池に添加され、接種剤の歩留まりおよび接種効果を向上させることができる。
【００１０】
（特徴構成２）
本発明の溶接棒においては、前記接種剤としてフェロシリコン系のものを用いることができる。
【００１１】
（効果）
前記接種剤としてフェロシリコン系のものを用いることで、接種剤に含まれる添加成分を溶融池に投入する際に、溶接アークが添加成分に及ぼす熱影響を軽減しつつ添加効率を高めることができる。さらに、カルシウムを大量に含むカルシウム−シリコン系の接種剤と比較して溶接金属中へのスラグ残留を軽減することも出来る。
【００１２】
（特徴構成３）
本発明の溶接棒においては、前記心線の外周に水ガラスを有する固着剤を塗布し、この固着剤の外周に前記接種剤を形成することができる。
【００１３】
（作用効果）
心線の外周に固着剤を塗布し、これに接種剤を被覆することで、接種剤が心線から脱落することを防止し、安定した接種効果を得ることができる。
また、水ガラスにフッ化物を混合させた場合には、スラグと溶滴の表面張力を除去し、精錬反応(脱酸素・脱水素・脱燐等)を促進させることができ、併せて、フッ素ガスによって溶滴を大気からシールドするガスシールド効果が発揮される。
【００１４】
（特徴構成４）
本発明の溶接棒においては、前記接種剤として粉末状のものを用いることができる。
【００１５】
（作用効果）
接種剤を粉末状に構成することで、接種剤を心線に付着させる前および心線に付着させる際の取扱いが容易になる。即ち、例えば、接種剤をあらかじめ液状もしくはスラリー状のバインダに混合した場合に比べて付着作業時に接種剤が流れてしまうのを防止することができる。また、粒子と言えないほど粒径が小さい接種剤を用いようとする場合には、接種剤が凝集して付着作業が煩雑になる可能性がある。しかし、粉末状であれば、これら不都合が生じ難く、接種剤の取扱いが容易となる。
さらに、接種剤が粉末状であれば、溶融池への滴下の際に、接種剤の表面部分は高熱のアークに曝される領域があるものの、粉末の中心部分の領域はアークの熱影響を受け難く、しかも、外気に接触することなく溶融池に添加することができる。よって、添加成分が変質することなく溶融池への添加が担保されるため、所期の機械的特性を備えた溶接部を得易くなる。
【００１６】
（特徴構成５）
本発明の溶接棒においては、前記被覆剤の成分として、Ｃ：９〜２８％、ＣａＦ2：８〜１６％、ＣａＯ：５〜３０％、ＣａＣＯ3：１９〜３７％、Ｆｅ−Ｓｉ：２〜２０％、Ｆｅ−Ｍｎ：２〜２０％、Ｃｕ：１〜１０％、Ｎａ2Ｏ・ｎＳｉＯ2：９〜２４％および不可避成分としたものを用いることができる。但し、ｎはモル比である。
【００１７】
（作用効果）
被覆剤は、アーク熱で損耗する元素を補充し、スラグ−メタル反応の促進による精錬作用、スラグの流動性およびスラグの量を適正に保つことにより、溶接作業性を向上させ、脱酸効果を発揮するとともに、溶融池を大気から保護する。
なお、スラグ−メタル反応とは、溶接棒の被覆剤はアーク熱で溶融・脱落し、溶融池の上面にスラグとして被さるが、このスラグと溶融池の間で生じる脱酸・脱水素等の精錬反応とスラグから溶融池への合金添加反応のことをいう。
当該被覆剤のうち、特にＣを９〜２８％含有することで、接種剤が溶接アークの熱影響を受けるのを有効に抑制する効果が見られた。
【発明を実施するための形態】
【００１８】
（概要）
本発明は、球状黒鉛鋳鉄製の部材同士を溶接し、或いは、球状黒鉛鋳鉄製の部材を補修溶接する際に用いる溶接棒に関するものである。本発明の溶接棒は、特に、球状黒鉛鋳鉄からなる心線と、この心線の外周に形成した接種剤、さらに、この接種剤の外周に形成した被覆剤とを備えている点に特徴を有する。以下、各表を参考にしつつ本発明の溶接棒につき説明する。
【００１９】
（心線）
心線は、溶接棒の中心に配置された材料である。本実施例では、心線の材質は球状黒鉛鋳鉄（ＦＣＤ−４５０相当）とした。この心線の材質は、ＦＣＤ−４５０相当に限定されるものではなく適宜選択可能である。心線の形状は、例えば長さを３５０ｍｍ、直径を５ｍｍとした。なお、溶接棒の長さ・直径についても、この寸法に限定されるものではなく適宜設定可能である。
また、心線の形状として、心端の直径を３.５ｍｍ、根元の直径を４ｍｍにするなど、適宜テーパ形状としてもよい。テーパ状にすることでアークスタート時のアーク電流の密度が高まり、再アーク性が良くなる。
【００２０】
心線の化学成分（重量％）の一例を表１に示す。表中、「Bal」は、Balance(残分)の略であり、表示成分の残りの殆どは鉄という意味である。
【００２１】
【表１】
2011177786.tif 000002
【００２２】
（接種剤）
本発明の溶接棒においては、接種剤は心線の周りに配置される。心線の外周に接種剤を形成することにより、溶接時に、接種剤が溶融池に効果的に添加され、溶接金属中に、チル・マルテンサイトの生成を抑制することができる。溶接に際して、接種剤は溶接アークによって溶かされ、溶融池に滴下される。接種剤に含める成分元素は、溶接部の機械的特性が母材特性を上回るように設計される。本発明に係る接種剤の一実施例を表２に示す。
【００２３】
【表２】
2011177786.tif 000003
【００２４】
接種剤としては、Ｆｅ−Ｓｉ（フェロシリコン）系のものが好適である。さらに、Ｆｅ−Ｓｉ（フェロシリコン）に対して微量のＡｌおよびＣａを添加してある。実施例の一つとしては表２に示したとおりであるが、各成分組成は、例えば、Ｓｉ：３０〜８０％、Ａｌ：０.５〜３.０％、Ｃａ：０.１〜１.０％、残部はＦｅおよび不可避成分元素とするごとく、所定の成分幅をもたせることができる。
上記接種剤の成分により、溶接金属の黒鉛化を促進することでチルの抑制を図り、溶接部の脆化および硬化を抑制することができる。
なお、接種剤中のＳｉは３０〜８０％のものを添加することにより黒鉛化が著しく促進される。また、ＡｌおよびＣａはＳｉの効果を補うために微量に添加するものであり、黒鉛化の促進および脱酸効果を得ることができる。
鋳鉄の凝固はマウラーの組織図で示されるようにＳｉが高いほど黒鉛系の共晶凝固反応となり、チルを抑制し、靭性を向上させる効果がある。よって、Ｓｉを３０〜８０％と多量に含むＦｅ−Ｓｉ合金をベースとした接種剤を選定した。また、Ｃａ，Ａｌも黒鉛化を促進する元素であり、Ｓｉによる黒鉛化促進効果を補足するために微量配合している。
【００２５】
接種剤には、フッ化物を添加してもよい。これにより接種剤の酸化を防止することができる。つまり、被覆剤中の炭酸塩(例えば、ＣａＣＯ3,ＢａＣＯ3等)は主として炭酸ガスを出すことで溶接アークを空気からシールドする。炭酸ガスはアーク熱で４０００℃以上に加熱されてＣＯ＋Ｏ(Ｏ:活性酸素)となる。活性酸素は心線中もしくは大気中の水素Ｈと反応してＯ＋Ｈ→ＯＨとなる。しかし、これは非常に酸化が激しく、成分中の有用なＳｉ等をＳｉＯ2に酸化してしまう。よって、接種剤にフッ化物を入れることで、Ｈをフッ化水素ＨＦとして溶滴および溶融池の酸化を防止することができる。
【００２６】
接種剤の形成量は、例えば、心線に対する重量比で１〜１０％とした。接種剤の形成量を心線の重量の１〜１０％とすることで、接種剤の溶け残りを抑制し、良好な接種効果を得ることができる。１％より少ないと接種効果が乏しい。一方、１０％より多いと、未溶解の接種剤が溶接金属中に偏析し、溶接部の材料特性が脆化するとともに接種剤の歩留が低下する。
【００２７】
心線の外周に接種剤を付着させる際には、例えば、心線の周囲に水ガラス（３号珪酸ソーダ）からなる固着剤や、水ガラス（３号珪酸ソーダ）とフッ化物とを混合した固着剤を塗布し、この固着剤の外周に接種剤を塗布することができる。水ガラスを用いて接種剤を被覆することで、接種剤に対するアーク入熱を緩和し、接種剤の効果が不十分になるのを防止することができる。
【００２８】
この固着剤を水ガラス（３号珪酸ソーダ）とした場合、水ガラス（３号珪酸ソーダ）の塗布量は心線重量比で２〜４％とした。２％以下の場合、接種剤の付きが悪くなる。一方、４％より多くなると接種剤を塗布する時に水ガラスとともに接種剤が流れ落ちることで接種剤の塗布状態が不均一になる。
【００２９】
一方、固着剤を水ガラス（３号珪酸ソーダ）とフッ化物との混合剤とした場合にも、混合剤の塗布量は心線重量比で２〜４％とするのが良い。
接種剤の状態および付着方法は適宜設定することができる。例えば、粉末状に形成した接種剤を心線の周囲に付着させることができる。このうち粉末状の接種剤を用いる場合には、粒径は例えば２.５ｍｍ以下のものを使用するのが好ましい。粉末状であれば、心線に付着させる前の接種剤の取扱いが容易になる。さらに、溶融池への滴下の際に、高熱のアークにさらされる領域があるものの、粉末の中心部分に存在する添加成分はアークの熱影響をあまり受けないまま溶融池に滴下される。その際、粒径があまりに大き過ぎると粒子同士の間の隙間が増大して心線の被覆効率が低下する。一方、粒子と言えないほど粒径が小さくなると上記アーク熱の干渉効果が低下してしまう。よって、接種剤の粒径は、２.５ｍｍ以下のものであって、粒状であると明らかに視認できる程度のものが良い。
【００３０】
接種剤の粒の表面に銅メッキを施すこともできる。接種剤の粒の表面に銅メッキを施すことにより、接種剤の酸化を防止し、溶接金属でのパーライト組織の生成を促進させることができる。さらに通電性が向上し、アークスタートが容易となる。溶接作業中においてもアークの途切れが発生し難くなり、溶接作業性が良好なものとなる。
【００３１】
（被覆剤）
本発明の溶接棒においては、上記接種剤の外周にさらに被覆剤を付着させる。被覆剤は、溶接棒の心線の周囲に塗布されたさまざまな原料粉末のことである。被覆剤を設けることで、溶接に際して溶接アークを大気から遮断し、アークを安定的に維持することができる。また、溶滴および溶融池の酸化を防止して溶接部の所期の機械的特性を確保することができる。
【００３２】
本発明で用いる被覆剤としては、例えば、Ｃ：９〜２８％、：ＣａＦ2：８〜１６％、ＣａＯ：５〜３０％、ＣａＣＯ3：１９〜３７％、Ｆｅ−Ｓｉ：２〜２０％、Ｆｅ−Ｍｎ：２〜２０％、Ｃｕ：１〜１０％、Ｎａ2Ｏ・ｎＳｉＯ2：９〜２４％  および不可避成分なる成分のものを用いる。ｎはモル比であり、数値範囲は特に限定されるものではないが、例えば１〜４の数とする。本実施形態ではｎ＝２の場合を例示する。
表３には、本発明の溶接棒に一例として用いた被覆剤の組成を示す。
【表３】
2011177786.tif 000004
【００３３】
具体的には、例えば、Ｃ：２８.０％、ＣａＦ2：１４.０％、ＣａＯ：１４.０％、ＣａＣＯ3：１９.０％、Ｆｅ−Ｓｉ：９.０％、Ｆｅ−Ｍｎ：５.０％、Ｃｕ：２.０％、Ｎａ2Ｏ・２ＳｉＯ2：９.０％とした。
【００３４】
被覆剤を接種剤の外周に被覆するときは、被覆剤が適度の硬さ、例えば、握り締めると硬く固まる程度となるように、水ガラスおよび水分を被覆剤に添加し、混練する。これを心線の外周に形成した接種剤の外周に巻きつけるようにして固着させる。
【００３５】
被覆剤の成分のうち、Ｃ（黒鉛）は、必要な合金成分を添加する役割である。添加の際の歩留は、酸素量およびシールドガス量の影響を受ける。アーク熱で損耗するＣの補給および脱酸を行うほか、アーク電圧を低減させることによって母材の溶融度合いを低減する。また、アークが弱くなるため、接種剤に対する熱影響を緩和し、接種剤の効果が不十分になることを防止している。Ｃは、９〜２８％の配合率で良好な作業性が得られた。９％より少ないと、炭素損耗および溶け込み過多、アークの荒れを生じた。２８％より多いと、保護筒の強度低下および被覆剤の溶融不均一によるアーク切れ、弱アーク、凸ビートとなる。
【００３６】
ＣａＦ2（フッ化カルシウム）は、溶滴および溶融池の表面張力を除去する。これにより、他分子の分子間結合を分解して、溶融池・スラグの表面張力を小さくし、スラグ−メタル反応を促進する。一般的には、金属フッ化物が用いられる。Ｆ（フッ素）は電気陰性度が４.０と最も大きいため、Ｈｅ、Ｎｅ以外の元素と化合物を形成する。その際、元々の分子間結合は結合手が複数本であるのに対し、Ｆが置き換わった箇所は結合手が１本となり、結合の網目構造が不完全になる。これにより、融点が下がり、表面張力が低下する。
ＣａＦ2は、他分子の分子間結合を分解することで、スラグの流動性を高める。これにより、スラグと溶融ビードのなじみが向上し、スラグ−メタル反応を促進する。アーク柱へのスラグの混入を予防し、アークを安定させる。配合は８〜１６％とした。８％より少ないと、スラグ−メタル反応の効果が小さい。１６％より多いと、スラグ過多となり、流動性が高くなりすぎるため、安定した溶融ビードを得ることができない。
【００３７】
ＣａＯ（生石灰）は、スラグを形成する。溶接作業を容易にし、溶融ビードの形状を整える。また、大気から溶融ビードを遮断して保護し、溶接ビードの急冷を防ぐ。さらには、スラグ−メタル反応による精錬作用の効果を得ることができる。ＣａＯは、スラグの形成およびスラグ−メタル反応による脱硫効果がある。３０％を超えて添加すると、スラグ量が過多となりアークが不安定になる。５％未満では、スラグ不足により凸ビードおよびガス欠陥が発生する。これらを加味して、配合率は５〜３０％とした。
【００３８】
ＣａＣＯ3（炭酸カルシウム）は、シールドガスを発生させる役割を有し、大気中の酸素や窒素から、溶滴や溶融池を保護する。アーク熱で溶融した溶滴は高温になり、大気と触れる表面積も大きくなるため、ガス成分の溶解度が高くなる。ガスを溶解した溶滴や溶接ビードのガス溶解度は凝固時に急激に小さくなるため、溶融ビード内に気泡となって吐き出されることで内部欠陥を生じる。これを防止するために、アーク柱と溶融ビードの周囲に大気を遮断させるシールドガスを発生させるものである。ＣａＣＯ3は、溶接中に炭酸ガスを発生し、溶融池を大気から遮断すると同時に、脱酸・脱硫してスラグの一部となる。またアークを安定させる効果もある。
ＣａＣＯ3の配合は１９〜３７％で良好な作業性が得られた。１９％より少ないと、シールド不足によるブローホール・アーク不安定・スパッタが発生する。３７％より多いと、スパッタが増大し、スラグ過多・アーク切れ・球状化不良となる。
【００３９】
Ｓｉ（シリコン）は摩擦熱で損耗するＳｉを補給し、黒鉛系共晶凝固を促進し、溶融池を脱酸する役割を持つ。吸湿し易いため、溶接棒を乾燥状態で保管しないとフラックスが脱落・剥離する。Ｆｅ−Ｓｉが２％よりも少ないと合金添加効果が乏しくなる。２０％を超えると脱酸で生じた酸化スラグ過多となる。加えて、被覆剤の吸湿性能が増加し、被覆剤強度が著しく低下するため、取扱い難い溶接棒となる。以上より、Ｆｅ−Ｓｉの配合比率は２〜２０％とした。
【００４０】
Ｍｎ（マンガン）は溶融池を脱酸する役割を持つ。Ｆｅ−Ｍｎが２％よりも少ないと脱酸効果が乏しい。一方、２０％を超えると、溶融池へのＭｎ量増加による溶接金属のチル化が促進され、溶接部が脆化する。以上より、Ｆｅ−Ｍｎの配合比率は２〜２０％とした。
【００４１】
Ｃｕ（銅）は、Ｃｕそのものを溶融池に添加することに加えて、通電性を向上させ、アークを安定化させる機能を有する。アークを安定させるには、アークの元となるＣ，Ｏが必要であり、かつ、溶滴の移行が、細かい溶滴がアーク柱を連続的に移行する所謂スプレー移行となるのが望ましい。このＣ，ＯはＣＯ2が電離することで得られるため、炭酸塩が必要である。スプレー移行を形成するためには、陰極点の存在と溶接棒先端の溶滴を絞り込む力が必要である。なお、発生したスラグがアーク柱を遮るとアークが遮断されるため、不安定なアークになる。Ｃｕの配合率は、作業性および合金としての添加量を加味して１〜１０％とした。１０％を超えて添加すると、合金添加過多となり、溶接部の脆化を招く。１％未満では合金添加効果が乏しい。
【００４２】
被覆剤を心線に固着させるために被覆剤には水ガラス（Ｎａ2Ｏ・ｎＳｉＯ2：ｎはモル比）を含む。有機系の固着剤では、水素欠陥を招くため、無機系の水ガラスを使用した。水ガラスはＣＯ2と反応することで、珪酸ガラスを形成して硬化する。配合割合は９〜２４％で、割れ・脱落が発生しない。２４％より多いと、溶着金属中のＮａ，Ｓｉの増加やスラグ過多が発生する。配合が９％より少ないと、乾燥後の被覆剤の割れや脱落が発生する。
【００４３】
本発明に用いる被覆剤は以上のような成分を備える。この被覆剤の形成量は、７５％より多いと、アーク熱で保護筒が溶け落ちずに残る。ここで、保護筒とは、被覆剤の先端部で溶滴と溶融部を保護している部分をいう。そのため、保護筒が定期的に(機械的に)脱落し、その瞬間にアークが途切れてビードが断続的になる。
また、溶接棒に被覆剤を被覆した後の乾燥工程において、収縮量が大きくなることによる被覆剤のクラックが生じる。被覆剤の形成量が３０％より少ないと、シールドガス不足によるスパッタ・ガス欠陥の増大やアークの荒れが生じる。
【００４４】
（溶接棒の製造方法）
以下には、本発明に係る溶接棒の製造方法を説明する。
まず、円筒容器に水ガラスを入れ、その中に心線を浸漬する。心線の周囲に所望の量の水ガラスを付着させた状態で心線を容器から引き上げる。心線の上方より接種剤を散布し、接種剤を心線表面に塗布する。１時間程度放置し、水ガラスを自然乾燥させることで、接種剤を固着させる。指定配合量の被覆材料・水ガラス・水を混練した被覆剤を接種剤の外周に塗装する。塗装した溶接棒は８時間程度自然乾燥したのちに熱風乾燥を行う。熱風乾燥時の温度管理は、例えば、約２時間をかけて室温から２５０℃にまで加熱したのち、当該２５０℃で６時間保持し、その後、再び２時間をかけて室温まで冷却する。
【００４５】
（溶接方法）
本発明の溶接棒を用いた溶接作業は、例えば以下のように行う。
被覆アーク溶接の溶接条件として、溶接電流２００Ａ、溶接速度１４ｃｍ/ｍｉｎとした。母材は、ＦＣＤ４５０〜７００のものを使用した。溶接部の冷却速度を変化させるために、母材の溶接部を５００℃に予熱した。冷却速度が大きいと硬くて脆いセメンタイト(チル)が晶出する。溶接部の冷却速度は、外気や母材との熱移動により決定されるため、必然的に母材の温度が高い程冷却速度が小さくなる。よって、セメンタイトを晶出させないために、５００℃程度の予熱を行って冷却速度を小さくすることが必要である。
母材は溶接部のみを開口した断熱材で被覆し、ガストーチを用いて設定温度である５００℃まで予熱したのち、ビードオンプレート溶接を行った。溶接後は速やかに断熱材で被覆した状態で徐冷した。
【００４６】
（実験結果１）
以下には、接種剤の塗布方法の違いによる溶接金属中の接種剤の含有量の違いを調べた実験結果を示す。
接種剤の塗布方法は、
（１）心線の外周に内側から接種剤・被覆剤の順に塗布したもの（塗布方法(1)）
（２）心線の外周に内側から被覆剤・接種剤の順に塗布したもの（塗布方法(2)）
（３）接種剤と被覆剤とを混合させて心線の外周に塗布したもの（塗布方法(3)）
の３種類とした。
また、塗布方法(1)〜(3)における接種剤の塗布量を心線重量比で４％（２ｇ）、および、心線重量比で８％（４ｇ）として、溶接金属中のＳｉ含有量を測定した。
なお、Ｓｉ含有量を測定したのは、接種剤中にＳｉの含有量が多く、効果の違いを判断し易いと考えたためである。
【００４７】
【表４】
2011177786.tif 000005
【００４８】
（実験結果１の考察）
塗布方法(1)は、接種剤が心線に最も近く、アーク熱により心線や母材への接種剤の溶け込みが効率的であるため、接種効果が最も高い。
塗布方法(2)は、被覆剤の外側に接種剤が塗布してある為、塗布方法(1)に比べて心線への接種剤の溶け込みが少ない。また、アーク熱により接種剤を接着している水ガラスや接種剤が焼けてしまい、接種効果が劣るものと考えられる。
塗布方法(3)は、接種剤を混合した被覆剤の溶け残りが多いことや、被覆剤に接種剤が保護され、溶滴および溶融池との直接的な反応が妨げられたこと、また、被覆剤のスラグ生成成分に巻き込まれてスラグとして浮上してしまった為に接種効果が大きく劣るものと考えられる。
また、塗布方法(1)〜(3)における溶接の作業性については、塗布方法(1)および塗布方法(3)では特に問題はなかった。これに対し、塗布方法(2)は、接種剤やバインダーがアーク熱の影響で劣化し、被覆剤が脱落することがあり、作業性が劣っていた。
【００４９】
（実験結果２）
溶接後の母材の機械的特性および溶接作業性を調査するために以下の実験を行った。母材の寸法は１００ｍｍ×５０ｍｍ×５ｍｍとし、ＦＣＤ７００相当のものを使用した。
これらの母材２枚を突き合わせて溶接を行った。
溶接棒の心線はＦＣＤ４５０相当で、心線の直径は５ｍｍのものを使用した。また、接種剤は塗布方法(1)により塗布した。
比較例として、ＦＣＤ４５０相当の心線に接種剤を塗布しない溶接棒、および、市販の５５％Ｎｉ−Ｆｅ被覆アーク溶接棒、市販の９９.９％Ｎｉ被覆アーク溶接棒を用いて実験を行った。
当該実験により得られた機械的特性に係る結果を表５に示し、溶接作業性に係る結果を表６に示す。
【００５０】
【表５】
2011177786.tif 000006
【００５１】
【表６】
2011177786.tif 000007
【００５２】
（実験結果２の考察）
実施例１では、継手効率（溶接前の母材の引張強度に対する溶接部の引張強度の割合）は１０７％と母材以上の特性を示した。伸びは３.４％でありＪＩＳ Ｇ５５０２のＦＣＤ７００を満足している。また、溶接金属は黒鉛・フェライト・パーライトで母材と同等の組織となっており、溶接金属外観は母材と同等の色調であった。
比較例１では、継手効率、伸びともに低い値を示しており、最もチルの晶出が多いボンド付近で破断していることから、溶接金属中のチル、レデブライト組織により脆化していると考えられる。また、溶接金属中にチル組織が多く含まれる為、外観上僅かに光沢が確認され、母材と比較すると若干色調が異なっている。
比較例２では、継手効率８０％、伸び３.３％と低い値を示している。破断部位はボンド付近であることからボンドのチル組織により脆化していると考えられる。また、溶接金属はＦｅ−Ｎｉ合金・セメンタイト・黒鉛で構成されており、色調面においても母材と比較して明らかな光沢が見られ、溶接跡が目立つ状態であった。
比較例３では継手効率４６％と非常に低く、伸びは３.６％で溶接金属から破断した。これは、溶接金属がＮｉを多量に含むＦｅ−Ｎｉ合金と黒鉛とで構成されているため、母材と比較して引張強度が著しく劣っているためである。また、溶接金属は母材と比較して明らかな光沢が見られ、溶接跡が目立つ状態であった。
【産業上の利用可能性】
【００５３】
本発明の溶接棒は、球状黒鉛鋳鉄製の部材同士の溶接接合、および、球状黒鉛鋳鉄製の部材の補修溶接に好適に用いることができる。